(57)【要約】【課題】閲覧者が閲覧コンテンツを閲覧するための待ち時間の間に、閲覧コンテンツを所有するサイト管理者が指定した広告コンテンツを閲覧者に閲覧させることが可能な情報提供システムを提供する。【解決手段】情報閲覧端末（２００−１〜ｎ）は、閲覧者が閲覧したい閲覧コンテンツをコンテンツ保持部（１０３）から取得している待ち時間の間は、閲覧コンテンツを所有するサイト管理者が指定した広告コンテンツをコンテンツ表示部（２０１）に表示するように制御する。【選択図】図２
2009043008.tif 000002
【特許請求の範囲】
【請求項１】
情報提供サーバから取得したコンテンツを閲覧する情報閲覧端末であって、
コンテンツを表示する表示手段と、
閲覧者が閲覧したい閲覧コンテンツを前記情報提供サーバから取得している待ち時間の間は、前記閲覧コンテンツを所有するサイト管理者が指定した広告コンテンツを前記表示手段に表示するように制御する制御手段と、を有することを特徴とする情報閲覧端末。
【請求項２】
前記制御手段は、
前記閲覧コンテンツに関係付けられた広告コンテンツを前記情報提供サーバから取得し、該取得した広告コンテンツを、前記待ち時間の間に前記表示手段に表示し、
前記閲覧コンテンツを所有するサイト管理者が指定した広告コンテンツを前記待ち時間の間に前記表示手段に表示することを特徴とする請求項１記載の情報閲覧端末。
【請求項３】
前記制御手段は、
前記閲覧コンテンツに関係付けられた新たな広告コンテンツを前記情報提供サーバから取得した場合には、該取得した新たな広告コンテンツを、前記待ち時間の間に前記表示手段に表示するように制御することを特徴とする請求項２記載の情報閲覧端末。
【請求項４】
前記表示手段に表示した広告コンテンツに対する閲覧者の広告批評を前記情報提供サーバに登録する登録手段を有することを特徴とする請求項１から３の何れか１項に記載の情報閲覧端末。
【請求項５】
閲覧コンテンツと広告コンテンツとを保持する保持手段と、
閲覧者が閲覧したい閲覧コンテンツを受付ける受付手段と、
前記受付手段が受付けた閲覧コンテンツが前記保持手段に格納されていない場合に、前記保持手段から前記閲覧コンテンツに関係付けられた広告コンテンツを読み出し、該読み出した広告コンテンツを前記表示手段に表示する広告コンテンツ提示手段と、
前記受付手段が受付けた閲覧コンテンツが前記保持手段に格納されていない場合に、前記情報提供サーバから前記閲覧コンテンツを取得し、該取得した閲覧コンテンツを前記保持手段に格納するコンテンツ受信手段と、
前記受付手段が受付けた閲覧コンテンツが前記保持手段に格納されている場合に、前記保持手段から前記閲覧コンテンツを読み出し、該読み出した閲覧コンテンツを前記表示手段に表示する閲覧コンテンツ提示手段と、を有し、
前記閲覧者が閲覧したい閲覧コンテンツを前記コンテンツ受信手段が前記情報提供サーバから取得している待ち時間の間は、前記広告コンテンツ提示手段が前記閲覧コンテンツに関係付けられた広告コンテンツを前記表示手段に表示し、
前記閲覧コンテンツを所有するサイト管理者が指定した広告コンテンツを前記待ち時間の間に前記表示手段に表示することを特徴とする請求項１から３の何れか１項に記載の情報閲覧端末。
【請求項６】
前記コンテンツ受信手段が前記閲覧コンテンツの取得を完了したか否かを監視する監視手段と、
前記閲覧コンテンツの取得が完了した場合に、前記閲覧コンテンツに関係付けられた広告コンテンツを前記情報提供サーバから取得するように前記コンテンツ受信手段を制御するコンテンツ転送制御手段と、を有し、
前記コンテンツ受信手段は、
前記閲覧コンテンツに関係付けられた広告コンテンツを前記情報提供サーバから取得し、該取得した広告コンテンツを前記保持手段に格納し、
前記広告コンテンツ提示手段は、前記閲覧コンテンツに関係付けられた広告コンテンツを前記保持手段から読み出し、該読み出した広告コンテンツを前記表示手段に表示し、
前記閲覧コンテンツを所有するサイト管理者が指定した広告コンテンツを前記待ち時間の間に前記表示手段に表示することを特徴とする請求項５記載の情報閲覧端末。
【請求項７】
情報閲覧端末にコンテンツを提供する情報提供サーバであって、
閲覧者が閲覧する閲覧コンテンツと、前記情報閲覧端末が前記閲覧コンテンツを前記情報提供サーバから取得している待ち時間の間に前記閲覧者が閲覧する広告コンテンツと、を関係付けて保持するコンテンツ保持手段と、
前記情報閲覧端末からの取得要求に応じて前記閲覧コンテンツ、または、前記広告コンテンツを前記情報閲覧端末に送信するコンテンツ送信手段と、を有し、
前記コンテンツ保持手段は、前記閲覧コンテンツを所有するサイト管理者毎に、前記閲覧コンテンツと、サイト管理者が指定した広告コンテンツと、を関係付けて保持し、
前記コンテンツ送信手段は、前記情報閲覧端末からの取得要求に応じて、前記サイト管理者が指定した広告コンテンツを前記情報閲覧端末に送信し、前記閲覧者が閲覧したい閲覧コンテンツを前記情報閲覧端末が前記情報提供サーバから取得している待ち時間の間は、前記閲覧コンテンツを所有するサイト管理者が指定した広告コンテンツを前記閲覧者に閲覧させるように制御することを特徴とする情報提供サーバ。
【請求項８】
前記コンテンツ保持手段は、
前記広告コンテンツに対する閲覧者の広告批評を、前記閲覧コンテンツと、前記広告コンテンツと、に関係付けて前記サイト管理者毎に保持し、
前記コンテンツ送信手段は、前記サイト管理者が前記広告批評を基に指定した広告コンテンツを前記情報閲覧端末に送信することを特徴とする請求項７記載の情報提供サーバ。
【請求項９】
情報閲覧端末と、前記情報閲覧端末にコンテンツを提供する情報提供サーバと、を有して構成する情報提供システムであって、
前記情報提供サーバは、
閲覧者が閲覧する閲覧コンテンツと、前記情報閲覧端末が前記閲覧コンテンツを前記情報提供サーバから取得している待ち時間の間に前記閲覧者が閲覧する広告コンテンツと、を関係付けて保持するコンテンツ保持手段を有し、
前記コンテンツ保持手段は、前記閲覧コンテンツを所有するサイト管理者毎に、前記閲覧コンテンツと、サイト管理者が指定した広告コンテンツと、を関係付けて保持し、
前記情報閲覧端末は、
コンテンツを表示する表示手段と、
前記閲覧者が閲覧したい閲覧コンテンツを前記コンテンツ保持手段から取得している待ち時間の間は、前記コンテンツ保持手段から取得した広告コンテンツを前記表示手段に表示し、前記閲覧コンテンツを所有するサイト管理者が指定した広告コンテンツを、前記待ち時間の間に前記表示手段に表示するように制御する制御手段と、を有することを特徴とする情報提供システム。
【請求項１０】
コンテンツを表示する表示手段を有し、情報提供サーバから取得したコンテンツを閲覧する情報閲覧端末が行う制御方法であって、
閲覧者が閲覧したい閲覧コンテンツを前記情報提供サーバから取得している待ち時間の間は、前記閲覧コンテンツを所有するサイト管理者が指定した広告コンテンツを前記表示手段に表示するように制御する制御工程を、前記情報閲覧端末が行うことを特徴とする制御方法。
【請求項１１】
情報閲覧端末にコンテンツを提供する情報提供サーバが行う制御方法であって、
前記情報提供サーバは、
閲覧者が閲覧する閲覧コンテンツと、前記情報閲覧端末が前記閲覧コンテンツを前記情報提供サーバから取得している待ち時間の間に前記閲覧者が閲覧する広告コンテンツと、を関係付けて保持するコンテンツ保持手段を有し、
前記情報閲覧端末からの取得要求に応じて前記閲覧コンテンツ、または、前記広告コンテンツを前記情報閲覧端末に送信するコンテンツ送信工程を、前記情報提供サーバが行い、
前記コンテンツ保持手段は、前記閲覧コンテンツを所有するサイト管理者毎に、前記閲覧コンテンツと、サイト管理者が指定した広告コンテンツと、を関係付けて保持し、
前記コンテンツ送信工程は、前記情報閲覧端末からの取得要求に応じて、前記サイト管理者が指定した広告コンテンツを前記情報閲覧端末に送信し、前記閲覧者が閲覧したい閲覧コンテンツを前記情報閲覧端末が前記情報提供サーバから取得している待ち時間の間は、前記閲覧コンテンツを所有するサイト管理者が指定した広告コンテンツを前記閲覧者に閲覧させるように制御することを特徴とする制御方法。
【請求項１２】
コンテンツを表示する表示手段を有し、情報提供サーバから取得したコンテンツを閲覧する情報閲覧端末において実行させる制御プログラムであって、
閲覧者が閲覧したい閲覧コンテンツを前記情報提供サーバから取得している待ち時間の間は、前記閲覧コンテンツを所有するサイト管理者が指定した広告コンテンツを前記表示手段に表示するように制御する制御処理を、前記情報閲覧端末に実行させることを特徴とする制御プログラム。
【請求項１３】
情報閲覧端末にコンテンツを提供する情報提供サーバに実行させる制御プログラムであって、
前記情報提供サーバは、
閲覧者が閲覧する閲覧コンテンツと、前記情報閲覧端末が前記閲覧コンテンツを前記情報提供サーバから取得している待ち時間の間に前記閲覧者が閲覧する広告コンテンツと、を関係付けて保持するコンテンツ保持手段を有し、
前記情報閲覧端末からの取得要求に応じて前記閲覧コンテンツ、または、前記広告コンテンツを前記情報閲覧端末に送信するコンテンツ送信処理を、前記情報提供サーバに実行させ、
前記コンテンツ保持手段は、前記閲覧コンテンツを所有するサイト管理者毎に、前記閲覧コンテンツと、サイト管理者が指定した広告コンテンツと、を関係付けて保持し、
前記コンテンツ送信処理は、前記情報閲覧端末からの取得要求に応じて、前記サイト管理者が指定した広告コンテンツを前記情報閲覧端末に送信し、前記閲覧者が閲覧したい閲覧コンテンツを前記情報閲覧端末が前記情報提供サーバから取得している待ち時間の間は、前記閲覧コンテンツを所有するサイト管理者が指定した広告コンテンツを前記閲覧者に閲覧させるように制御することを特徴とする制御プログラム。
【発明の詳細な説明】
【技術分野】
【０００１】
本発明は、情報閲覧端末と、情報提供サーバと、を有して構成する情報提供システムに関し、特に、閲覧者が閲覧したい閲覧コンテンツを情報提供サーバから取得している待ち時間の合間に、広告コンテンツを閲覧者に閲覧させることが可能な情報閲覧端末、情報提供サーバ、情報提供システム、制御方法及び制御プログラムに関するものである。
【背景技術】
【０００２】
一般的に、インターネット上のＷｅｂコンテンツ等の閲覧コンテンツを情報閲覧端末上で閲覧する場合には、その閲覧コンテンツのダウンロードに時間がかかり、ダウンロードが完了するまでの間は、情報閲覧端末上に何も情報が表示されないという問題がある。
【０００３】
このようなことから、本発明より先に出願された技術文献として、インターネットサービスプロバイダを利用してインターネットに接続する際に、待ち時間に広告情報を表示できるようにして、待ち時間を有効的に活用できるようにする技術について開示された文献がある（例えば、特許文献１参照）。
【０００４】
しかしながら、上記特許文献１の技術では、待ち時間に表示される広告情報は、その広告情報を閲覧する閲覧者の嗜好に即したものではなく、テレビ等で放送されるコマーシャルと同様な情報であるため、閲覧者に興味を持たせるような広告情報を表示することができない。
【０００５】
このようなことから、閲覧者に興味を持たせるような広告コンテンツを情報閲覧端末上に表示することが可能なシステムの開発が必要視されることになる。
【０００６】
また、近年では、ソーシャル・ネットワーク・サービス（ＳＮＳ）と言われるサービスが普及している。ＳＮＳは、自分で設定したグループ内の利用者にのみ自分所有のページや情報等の閲覧コンテンツを閲覧させ、利用者相互間の緊密なグループ関係を保持させることが可能なサービスである。
【０００７】
なお、ＳＮＳでは、閲覧者がページや情報等の閲覧コンテンツを閲覧した履歴を残せることが可能であるため、広告コンテンツを閲覧コンテンツ所有者自身が管理し、その広告コンテンツに対する閲覧者からの批評などをフィードバックし、閲覧者に興味を持たせるような広告コンテンツを閲覧者に提供するように制御するシステムの開発も必要視されることになる。
【０００８】
なお、本発明より先に出願された技術文献として、広告主などが広告・調査・イベントなどに対する消費者の反応を、ネットワークを用いてリアルタイムで確認できる技術について開示された文献がある（例えば、特許文献２参照）。
【０００９】
また、優れた利便性のもと広告配信を行うと共に、確度の高い広告効果の測定を可能とする技術について開示された文献がある（例えば、特許文献３参照）。
【００１０】
また、ユーザのふるまい（クリック、選択操作など）をフィードバックし、広告コンテンツを最適化し、広告の品質を改善する技術について開示された文献がある（例えば、特許文献４参照）。
【特許文献１】特開平１１−３０７２号公報
【特許文献２】特開２００１−３４４３７６号公報
【特許文献３】特開２００４−２５２４９８号公報
【特許文献４】特表２００６−５２８３８８号公報
【発明の開示】
【発明が解決しようとする課題】
【００１１】
なお、上記特許文献２〜４のように、閲覧者に最適な広告コンテンツを閲覧させるようにするための技術について開示された文献はあるが、閲覧者が閲覧コンテンツを閲覧するための待ち時間の間に、閲覧コンテンツを所有するサイト管理者が指定した広告コンテンツを閲覧者に閲覧させるように制御することについては何ら記載もその必要性についても示唆されていない。
【００１２】
本発明は、上記事情に鑑みてなされたものであり、上述した課題である、閲覧者が閲覧コンテンツを閲覧するための待ち時間の間に、閲覧コンテンツを所有するサイト管理者が指定した広告コンテンツを閲覧者に閲覧させることが可能な情報閲覧端末、情報提供サーバ、情報提供システム、制御方法及び制御プログラムを提供することを目的とする。
【課題を解決するための手段】
【００１３】
かかる目的を達成するために、本発明は、以下の特徴を有することとする。
【００１４】
＜情報閲覧端末＞
本発明にかかる情報閲覧端末は、
情報提供サーバから取得したコンテンツを閲覧する情報閲覧端末であって、
コンテンツを表示する表示手段と、
閲覧者が閲覧したい閲覧コンテンツを前記情報提供サーバから取得している待ち時間の間は、前記閲覧コンテンツを所有するサイト管理者が指定した広告コンテンツを前記表示手段に表示するように制御する制御手段と、を有することを特徴とする。
【００１５】
＜情報提供サーバ＞
また、本発明にかかる情報提供サーバは、
情報閲覧端末にコンテンツを提供する情報提供サーバであって、
閲覧者が閲覧する閲覧コンテンツと、前記情報閲覧端末が前記閲覧コンテンツを前記情報提供サーバから取得している待ち時間の間に前記閲覧者が閲覧する広告コンテンツと、を関係付けて保持するコンテンツ保持手段と、
前記情報閲覧端末からの取得要求に応じて前記閲覧コンテンツ、または、前記広告コンテンツを前記情報閲覧端末に送信するコンテンツ送信手段と、を有し、
前記コンテンツ保持手段は、前記閲覧コンテンツを所有するサイト管理者毎に、前記閲覧コンテンツと、サイト管理者が指定した広告コンテンツと、を関係付けて保持し、
前記コンテンツ送信手段は、前記情報閲覧端末からの取得要求に応じて、前記サイト管理者が指定した広告コンテンツを前記情報閲覧端末に送信し、前記閲覧者が閲覧したい閲覧コンテンツを前記情報閲覧端末が前記情報提供サーバから取得している待ち時間の間は、前記閲覧コンテンツを所有するサイト管理者が指定した広告コンテンツを前記閲覧者に閲覧させるように制御することを特徴とする。
【００１６】
＜情報提供システム＞
また、本発明にかかる情報提供システムは、
情報閲覧端末と、前記情報閲覧端末にコンテンツを提供する情報提供サーバと、を有して構成する情報提供システムであって、
前記情報提供サーバは、
閲覧者が閲覧する閲覧コンテンツと、前記情報閲覧端末が前記閲覧コンテンツを前記情報提供サーバから取得している待ち時間の間に前記閲覧者が閲覧する広告コンテンツと、を関係付けて保持するコンテンツ保持手段を有し、
前記コンテンツ保持手段は、前記閲覧コンテンツを所有するサイト管理者毎に、前記閲覧コンテンツと、サイト管理者が指定した広告コンテンツと、を関係付けて保持し、
前記情報閲覧端末は、
コンテンツを表示する表示手段と、
前記閲覧者が閲覧したい閲覧コンテンツを前記コンテンツ保持手段から取得している待ち時間の間は、前記コンテンツ保持手段から取得した広告コンテンツを前記表示手段に表示し、前記閲覧コンテンツを所有するサイト管理者が指定した広告コンテンツを、前記待ち時間の間に前記表示手段に表示するように制御する制御手段と、を有することを特徴とする。
【００１７】
＜制御方法＞
また、本発明にかかる制御方法は、
コンテンツを表示する表示手段を有し、情報提供サーバから取得したコンテンツを閲覧する情報閲覧端末が行う制御方法であって、
閲覧者が閲覧したい閲覧コンテンツを前記情報提供サーバから取得している待ち時間の間は、前記閲覧コンテンツを所有するサイト管理者が指定した広告コンテンツを前記表示手段に表示するように制御する制御工程を、前記情報閲覧端末が行うことを特徴とする。
【００１８】
また、本発明にかかる制御方法は、
情報閲覧端末にコンテンツを提供する情報提供サーバが行う制御方法であって、
前記情報提供サーバは、
閲覧者が閲覧する閲覧コンテンツと、前記情報閲覧端末が前記閲覧コンテンツを前記情報提供サーバから取得している待ち時間の間に前記閲覧者が閲覧する広告コンテンツと、を関係付けて保持するコンテンツ保持手段を有し、
前記情報閲覧端末からの取得要求に応じて前記閲覧コンテンツ、または、前記広告コンテンツを前記情報閲覧端末に送信するコンテンツ送信工程を、前記情報提供サーバが行い、
前記コンテンツ保持手段は、前記閲覧コンテンツを所有するサイト管理者毎に、前記閲覧コンテンツと、サイト管理者が指定した広告コンテンツと、を関係付けて保持し、
前記コンテンツ送信工程は、前記情報閲覧端末からの取得要求に応じて、前記サイト管理者が指定した広告コンテンツを前記情報閲覧端末に送信し、前記閲覧者が閲覧したい閲覧コンテンツを前記情報閲覧端末が前記情報提供サーバから取得している待ち時間の間は、前記閲覧コンテンツを所有するサイト管理者が指定した広告コンテンツを前記閲覧者に閲覧させるように制御することを特徴とする。
【００１９】
＜制御プログラム＞
また、本発明にかかる制御プログラムは、
コンテンツを表示する表示手段を有し、情報提供サーバから取得したコンテンツを閲覧する情報閲覧端末において実行させる制御プログラムであって、
閲覧者が閲覧したい閲覧コンテンツを前記情報提供サーバから取得している待ち時間の間は、前記閲覧コンテンツを所有するサイト管理者が指定した広告コンテンツを前記表示手段に表示するように制御する制御処理を、前記情報閲覧端末に実行させることを特徴とする。
【００２０】
また、本発明にかかる制御プログラムは、
情報閲覧端末にコンテンツを提供する情報提供サーバに実行させる制御プログラムであって、
前記情報提供サーバは、
閲覧者が閲覧する閲覧コンテンツと、前記情報閲覧端末が前記閲覧コンテンツを前記情報提供サーバから取得している待ち時間の間に前記閲覧者が閲覧する広告コンテンツと、を関係付けて保持するコンテンツ保持手段を有し、
前記情報閲覧端末からの取得要求に応じて前記閲覧コンテンツ、または、前記広告コンテンツを前記情報閲覧端末に送信するコンテンツ送信処理を、前記情報提供サーバに実行させ、
前記コンテンツ保持手段は、前記閲覧コンテンツを所有するサイト管理者毎に、前記閲覧コンテンツと、サイト管理者が指定した広告コンテンツと、を関係付けて保持し、
前記コンテンツ送信処理は、前記情報閲覧端末からの取得要求に応じて、前記サイト管理者が指定した広告コンテンツを前記情報閲覧端末に送信し、前記閲覧者が閲覧したい閲覧コンテンツを前記情報閲覧端末が前記情報提供サーバから取得している待ち時間の間は、前記閲覧コンテンツを所有するサイト管理者が指定した広告コンテンツを前記閲覧者に閲覧させるように制御することを特徴とする。
【発明の効果】
【００２１】
本発明によれば、閲覧者が閲覧コンテンツを閲覧するための待ち時間の間に、閲覧コンテンツを所有するサイト管理者が指定した広告コンテンツを閲覧者に閲覧させることが可能となる。
【発明を実施するための最良の形態】
【００２２】
＜情報提供システムの概要＞
まず、図１、図２を参照しながら、本実施形態の情報提供システムの概要について説明する。
【００２３】
本実施形態における情報提供システムは、情報閲覧端末（２００−１〜ｎ）と、情報閲覧端末（２００−１〜ｎ）にコンテンツを提供する情報提供サーバ（１００）と、を有して構成する情報提供システムである。
【００２４】
本実施形態における情報提供サーバ（１００）は、閲覧者が閲覧する『閲覧コンテンツ』と、情報閲覧端末（２００−１〜ｎ）が『閲覧コンテンツ』を情報提供サーバ（１００）から取得している待ち時間の間に閲覧者が閲覧する『広告コンテンツ』と、を関係付けて保持するコンテンツ保持手段（送信コンテンツ保持部：１０３に相当）を有して構成している。
【００２５】
なお、コンテンツ保持手段（１０３）は、『閲覧コンテンツ』を所有するサイト管理者毎に、『閲覧コンテンツ』と、サイト管理者が指定した『広告コンテンツ』と、を関係付けて保持しており、情報閲覧端末（２００−１〜ｎ）は、閲覧者が閲覧したい『閲覧コンテンツ』をコンテンツ保持手段（１０３）から取得している待ち時間の間は、コンテンツ保持手段（１０３）から取得した『広告コンテンツ』を表示手段（コンテンツ表示部：２０１に相当）に表示し、『閲覧コンテンツ』を所有するサイト管理者が指定した『広告コンテンツ』を待ち時間の間に表示手段（２０１）に表示するように制御する。
【００２６】
これにより、閲覧者が『閲覧コンテンツ』を閲覧するための待ち時間の間に、『閲覧コンテンツ』を所有するサイト管理者が指定した『広告コンテンツ』を閲覧者に閲覧させることが可能となる。以下、添付図面を参照しながら、本実施形態の情報提供システムについて詳細に説明する。
【００２７】
＜情報提供システムのシステム構成＞
まず、図１、図２を参照しながら、本実施形態の情報提供システムのシステム構成について説明する。
【００２８】
本実施形態の情報提供システムは、情報提供サーバ（１００）と、情報閲覧端末（２００−１〜ｎ：ｎは、任意の整数）と、がネットワーク（３００）を介して接続して構成している。なお、本実施形態の情報提供システムを構成するネットワーク（３００）は、各装置間で情報通信が可能であれば、有線、無線を問わずあらゆる通信形態が適用可能である。
【００２９】
＜情報提供サーバ：１００＞
情報提供サーバ（１００）は、情報閲覧端末（２００−１〜ｎ）に対し、閲覧コンテンツや広告コンテンツなどのコンテンツ情報を提供するサーバである。
【００３０】
なお、閲覧コンテンツは、閲覧者が閲覧したいコンテンツであり、ＷＥＢブラウザを例にすれば、ＷＥＢページそのものが該当する。
【００３１】
広告コンテンツは、閲覧者が閲覧コンテンツを閲覧する合間に閲覧させるためコンテンツであり、ＷＥＢブラウザを例にすれば、ＷＥＢページにおけるバナー広告や、アフィリエイト広告が該当する。
【００３２】
なお、本実施形態の情報提供サーバ（１００）は、図２に示すように、コンテンツ送信部（１０１）と、広告批評受信部（１０２）と、送信コンテンツ保持部（１０３）と、を有して構成している。
【００３３】
送信コンテンツ保持部（１０３）は、情報閲覧端末（２００−１〜ｎ）に送信する閲覧コンテンツ、広告コンテンツなどのコンテンツ情報を保持するものである。なお、送信コンテンツ保持部（１０３）は、図２に示すように、サイト管理者毎に、『閲覧コンテンツ』と、『広告コンテンツ』と、『広告批評』と、を関係付けて保持するように構築している。なお、『広告批評』とは、広告コンテンツに対する閲覧者の批評（面白い、面白くない等の批評コメント等）を示すものである。なお、図２では、『閲覧コンテンツ』と『広告コンテンツ』と『広告批評』との相互間の対応関係を、『閲覧コンテンツ』：『広告コンテンツ』：『広告批評』＝１：１：１としたが、閲覧コンテンツ：広告コンテンツ：広告批評＝１：ｎ：ｎとすることも可能である。即ち、１つの『閲覧コンテンツ』に対して、複数の『広告コンテンツ』を関係付けるように構築することも可能である。また、『閲覧コンテンツ』に対して、『広告コンテンツ』を関係付けないように構築することも可能である。
【００３４】
コンテンツ送信部（１０１）は、送信コンテンツ保持部（１０３）が保持する閲覧コンテンツや、広告コンテンツなどのコンテンツ情報を情報閲覧端末（２００−１〜ｎ）に送信するものである。
【００３５】
広告批評受信部（１０２）は、広告コンテンツに対する広告批評を情報閲覧端末（２００−１〜ｎ）から受付け、その受付けた広告批評を広告コンテンツに関係付けて送信コンテンツ保持部（１０３）に登録するものである。なお、広告批評受信部（１０２）は、閲覧コンテンツのＵＲＬと、広告コンテンツのＵＲＬと、を基に、広告批評を広告コンテンツに関係付けて送信コンテンツ保持部（１０３）に登録する。
【００３６】
＜情報閲覧端末：２００−１〜ｎ＞
情報閲覧端末（２００−１〜ｎ）は、情報閲覧サーバ（１００）から取得した閲覧コンテンツや広告コンテンツなどのコンテンツ情報を閲覧するための端末である。なお、情報閲覧端末（２００−１〜ｎ）は、コンテンツ情報を閲覧することが可能であればあらゆる機器が適用可能であり、例えば、ＰＣ、携帯電話機等が適用可能である。
【００３７】
本実施形態の情報閲覧端末（２００−１〜ｎ）は、図２に示すように、コンテンツ表示部（２０１）と、ユーザ入力受付部（２０２）と、閲覧コンテンツ提示部（２０３）と、広告コンテンツ提示部（２０４）と、受信コンテンツ保持部（２０５）と、コンテンツ受信部（２０６）と、閲覧監視部（２０７）と、広告コンテンツ転送制御部（２０８）と、広告批評入力部（２０９）と、広告批評送信部（２１０）と、を有して構成している。
【００３８】
コンテンツ表示部（２０１）は、広告コンテンツや閲覧コンテンツなどのコンテンツ情報を表示するものである。
【００３９】
ユーザ入力受付部（２０２）は、閲覧コンテンツ提示部（２０３）がコンテンツ表示部（２０１）に表示する閲覧コンテンツのＵＲＬなどを受付けるものである。
【００４０】
閲覧コンテンツ提示部（２０３）は、受信コンテンツ保持部（２０５）に保持されている閲覧コンテンツをコンテンツ表示部（２０１）に表示するものである。
【００４１】
広告コンテンツ提示部（２０４）は、受信コンテンツ保持部（２０５）に保持されている広告コンテンツをコンテンツ表示部（２０１）に表示するものである。
【００４２】
受信コンテンツ保持部（２０５）は、広告コンテンツや閲覧コンテンツなどのコンテンツ情報を保持するものである。
【００４３】
コンテンツ受信部（２０６）は、情報提供サーバ（１００）から送信された広告コンテンツや、閲覧コンテンツなどのコンテンツ情報を受信するものである。
【００４４】
閲覧監視部（２０７）は、コンテンツ送信部（１０１）とコンテンツ受信部（２０６）との間で閲覧コンテンツのダウンロードが行われているか否かを監視するものである。
【００４５】
広告コンテンツ転送制御部（２０８）は、送信コンテンツ保持部（１０３）に保持されている広告コンテンツを受信コンテンツ保持部（２０５）に登録するようにコンテンツ受信部（２０６）やコンテンツ送信部（１０１）を制御するものである。
【００４６】
広告批評入力部（２０９）は、広告コンテンツに対する閲覧者の広告批評を受付けるものである。
【００４７】
広告批評送信部（２１０）は、広告批評入力部（２０９）が受付けた広告批評を、閲覧コンテンツのＵＲＬと、広告コンテンツのＵＲＬと、に関係付けて広告批評受信部（１０２）に送信するものである。
【００４８】
＜情報提供システムにおける一連の処理動作＞
次に、図２〜図７を参照しながら、本実施形態の情報提供システムにおける一連の処理動作について説明する。
【００４９】
＜閲覧コンテンツの表示処理＞
まず、図２、図３を参照しながら、コンテンツ表示部（２０１）に閲覧コンテンツを表示する際の処理動作について説明する。なお、図３は、閲覧者が指定した閲覧コンテンツをコンテンツ表示部（２０１）に表示する際の処理動作を示す図である。
【００５０】
まず、情報閲覧端末（２００−１〜ｎ）の閲覧者は、閲覧したい閲覧コンテンツのページを情報閲覧端末（２００−１〜ｎ）に指定する（ステップＡ１）。
【００５１】
これにより、ユーザ入力受付部（２０２）は、情報閲覧端末（２００−１〜ｎ）の閲覧者が指定した閲覧コンテンツのページを受付け、その受付けた閲覧コンテンツのページを閲覧コンテンツ提示部（２０３）に通知する。
【００５２】
次に、閲覧コンテンツ提示部（２０３）は、受信コンテンツ保持部（２０５）を参照し、ユーザ入力受付部（２０２）が受付けた閲覧コンテンツのページが、受信コンテンツ保持部（２０５）にダウンロード済か否かを確認する（ステップＡ２）。そして、閲覧コンテンツ提示部（２０３）は、閲覧コンテンツがダウンロード済であると判断した場合は（ステップＡ２／Ｙｅｓ）、ユーザ入力受付部（２０２）が受付けた閲覧コンテンツを受信コンテンツ保持部（２０５）から読み出し、その読み出した閲覧コンテンツをコンテンツ表示部（２０１）に表示する（ステップＡ３）。
【００５３】
また、閲覧コンテンツ提示部（２０３）は、閲覧コンテンツがダウンロード済でないと判断した場合は（ステップＡ２／Ｎｏ）、ユーザ入力受付部（２０２）が受付けた閲覧コンテンツを受信コンテンツ保持部（２０５）にダウンロードするようにコンテンツ受信部（２０６）を制御する（ステップＡ４）。
【００５４】
また、閲覧コンテンツ提示部（２０３）は、ユーザ入力受付部（２０２）が受付けた閲覧コンテンツに関係付けられたダウンロード済の広告コンテンツを受信コンテンツ保持部（２０５）から読み出し、その読み出した広告コンテンツを、コンテンツ表示部（２０１）に表示するように広告コンテンツ提示部（２０４）を制御する（ステップＡ４）。
【００５５】
これにより、広告コンテンツ提示部（２０４）は、ユーザ入力受付部（２０２）が受付けた閲覧コンテンツに関係付けられたダウンロード済の広告コンテンツをコンテンツ表示部（２０１）に表示することになる。
【００５６】
そして、閲覧コンテンツ提示部（２０３）は、ユーザ入力受付部（２０２）が受付けた閲覧コンテンツのページが、受信コンテンツ保持部（２０５）にダウンロード済であると判断した場合は（ステップＡ２／Ｙｅｓ）、広告コンテンツ提示部（２０４）による広告コンテンツの表示を停止し、ユーザ入力受付部（２０２）が受付けた閲覧コンテンツを受信コンテンツ保持部（２０５）から読み出し、その読み出した閲覧コンテンツをコンテンツ表示部（２０１）に表示することになる（ステップＡ３）。
【００５７】
これにより、閲覧コンテンツ提示部（２０３）は、ユーザ入力受付部（２０２）が受付けた閲覧コンテンツを受信コンテンツ保持部（２０５）にダウンロードするまでの待ち時間の合間に、その閲覧コンテンツに関係付けられた広告コンテンツをコンテンツ表示部（２０１）に表示するように制御することが可能となる。
【００５８】
なお、閲覧コンテンツ提示部（２０３）は、閲覧コンテンツのページが、受信コンテンツ保持部（２０５）にダウンロード済であると判断した場合は（ステップＡ２／Ｙｅｓ）、広告コンテンツ提示部（２０４）による広告コンテンツの一連の表示処理が完了した後に、ユーザ入力受付部（２０２）が受付けた閲覧コンテンツを受信コンテンツ保持部（２０５）から読み出し、その読み出した閲覧コンテンツをコンテンツ表示部（２０１）に表示するようにすることも可能である。これにより、例えば、広告コンテンツの表示を途中で停止させることなく、一連の広告コンテンツを閲覧者に閲覧させた後に、閲覧コンテンツを表示するようにすることが可能となる。
【００５９】
なお、本実施形態における情報提供システムは、上述した図３に示す処理動作と並行して、以下に説明する図４に示す処理動作も行うことになる。なお、図４は、閲覧コンテンツに関係付けられた広告コンテンツをダウンロードする際の処理動作を示す図である。
【００６０】
まず、閲覧監視部（２０７）は、図３のステップＡ４で行われる閲覧コンテンツのダウンロードが完了したかどうかコンテンツ受信部（２０６）を監視する（ステップＢ１）。
【００６１】
監視制御部（２０７）は、コンテンツ受信部（２０６）の監視結果を基に、閲覧コンテンツのダウンロードが完了したか否かを判断し（ステップＢ２）、閲覧コンテンツのダウンロードが完了したと判断した場合に（ステップＢ２／Ｙｅｓ）、広告コンテンツ転送制御部（２０８）に転送指示を行い、広告コンテンツ転送制御部（２０８）は、受信コンテンツ保持部（２０５）にダウンロードが完了した閲覧コンテンツに関係付けられている広告コンテンツをコンテンツ送信部（１０１）から受信し、その受信した広告コンテンツを受信コンテンツ保持部（２０５）に登録するようにコンテンツ受信部（２０６）を制御する（ステップＢ３）。
【００６２】
これにより、コンテンツ受信部（２０６）は、ダウンロードが完了した閲覧コンテンツに関係付けられている広告コンテンツをコンテンツ送信部（１０１）から受信し、その受信した広告コンテンツを受信コンテンツ保持部（２０５）に登録することになる。この図４に示す上記処理により、受信コンテンツ保持部（２０５）には、閲覧コンテンツと、広告コンテンツと、が関係付けられて保持されることになり、閲覧者が閲覧コンテンツを閲覧する場合には、その閲覧コンテンツに関係付けられた広告コンテンツを閲覧者に閲覧させるようにすることが可能となる。
【００６３】
なお、閲覧コンテンツに関係付けられた広告コンテンツを特定する方法としては、例えば、Ｗｅｂサイト閲覧を対象としている場合には、閲覧コンテンツのＵＲＬに一定のルールで変換を加えることで広告コンテンツのＵＲＬになるというＵＲＬ変換機能を適用し、広告コンテンツを特定する方法が挙げられる。
【００６４】
なお、上記のＵＲＬ変換機能は、送信コンテンツ保持部（１０３）に直接アクセスできるコンテンツ送信部（１０１）に持たせることも可能である。これにより、コンテンツ送信部（１０１）は、閲覧コンテンツに関係付けられた広告コンテンツを特定し、その特定した広告コンテンツを送信コンテンツ保持部（１０３）から取得することが可能となる。
【００６５】
このように、本実施形態における情報閲覧端末（２００−１〜ｎ）は、閲覧コンテンツに関係付けられている広告コンテンツを情報提供サーバ（１００）の送信コンテンツ保持部（１０３）から取得し、その取得した広告コンテンツを受信コンテンツ保持部（２０５）に登録する。そして、情報提供端末（２００−１〜ｎ）は、閲覧者が閲覧したい閲覧コンテンツを情報提供サーバ（１００）の送信コンテンツ保持部（１０３）から取得している待ち時間の間に、その閲覧コンテンツに関係付けられた広告コンテンツを受信コンテンツ保持部（２０５）から読み出し、該読み出した広告コンテンツをコンテンツ表示部（２０１）に表示する。これにより、情報閲覧端末（２００−１〜ｎ）は、閲覧者が閲覧コンテンツを閲覧するための待ち時間の間に、その閲覧コンテンツに関係付けられた広告コンテンツを閲覧者に閲覧させることが可能となる。
【００６６】
例えば、情報閲覧端末（２００−１〜ｎ）は、図５（ａ）に示すように、閲覧者が閲覧したい『閲覧コンテンツのページ１』を情報提供サーバ（１００）の送信コンテンツ保持部（１０３）から取得し、該取得した『閲覧コンテンツのページ１』を受信コンテンツ保持部（２０５）に登録し、『閲覧コンテンツのページ１』を閲覧者に閲覧した場合に、情報閲覧端末（２００−１〜ｎ）は、その閲覧コンテンツに関係付けられている広告コンテンツを送信コンテンツ保持部（１０３）から取得するように制御する。
【００６７】
なお、送信コンテンツ保持部（１０３）は、図５（ａ）に示すように、『閲覧コンテンツのページ１』に関係付けて『広告コンテンツ１』を保持しているため、情報閲覧端末（２００−１〜ｎ）は、図５（ｂ）に示すように、『閲覧コンテンツのページ１』に関係付けられている『広告コンテンツ１』を送信コンテンツ保持部（１０３）から取得し、その取得した『広告コンテンツ１』を受信コンテンツ保持部（２０５）に登録することになる。
【００６８】
これにより、情報閲覧端末（２００−１〜ｎ）は、閲覧者が閲覧したい『閲覧コンテンツのページ２』を情報提供サーバ（１００）の送信コンテンツ保持部（１０３）から取得している待ち時間の間には、図５（ｂ）に示すように、閲覧コンテンツに関係付けられた『広告コンテンツ１』を受信コンテンツ保持部（２０５）から読み出し、該読み出した『広告コンテンツ１』を閲覧者に閲覧させることになる。
【００６９】
次に、情報閲覧端末（２００−１〜ｎ）は、図５（ｃ）に示すように、閲覧者が閲覧したい『閲覧コンテンツのページ２』を情報提供サーバ（１００）の送信コンテンツ保持部（１０３）から取得し、該取得した『閲覧コンテンツのページ２』を受信コンテンツ保持部（２０５）に登録し、『閲覧コンテンツのページ２』を閲覧者に閲覧した場合に、情報閲覧端末（２００−１〜ｎ）は、その閲覧コンテンツに関係付けられている広告コンテンツを送信コンテンツ保持部（１０３）から取得するように制御する。
【００７０】
なお、送信コンテンツ保持部（１０３）は、図５（ｃ）に示すように、『閲覧コンテンツのページ２』に関係付けて『広告コンテンツ』を保持していないため、情報閲覧端末（２００−１〜ｎ）は、閲覧コンテンツに関係付けられている『広告コンテンツ』を取得しないことになる。
【００７１】
この場合、情報閲覧端末（２００−１〜ｎ）は、閲覧者が閲覧したい『閲覧コンテンツのページ３』を情報提供サーバ（１００）の送信コンテンツ保持部（１０３）から取得している待ち時間の間には、図５（ｄ）に示すように、閲覧コンテンツに関係付けられた『広告コンテンツ１』を受信コンテンツ保持部（２０５）から読み出し、該読み出した『広告コンテンツ１』を閲覧者に閲覧させることになる。
【００７２】
次に、情報閲覧端末（２００−１〜ｎ）は、図５（ｅ）に示すように、閲覧者が閲覧したい『閲覧コンテンツのページ３』を情報提供サーバ（１００）の送信コンテンツ保持部（１０３）から取得し、該取得した『閲覧コンテンツのページ３』を受信コンテンツ保持部（２０５）に登録し、『閲覧コンテンツのページ３』を閲覧者に閲覧した場合に、情報閲覧端末（２００−１〜ｎ）は、その閲覧コンテンツに関係付けられている広告コンテンツを送信コンテンツ保持部（１０３）から取得するように制御する。
【００７３】
なお、送信コンテンツ保持部（１０３）は、図５（ｅ）に示すように、『閲覧コンテンツのページ３』に関係付けて『広告コンテンツ３』を保持しているため、情報閲覧端末（２００−１〜ｎ）は、図５（ｆ）に示すように、『閲覧コンテンツのページ３』に関係付けられている『広告コンテンツ３』を送信コンテンツ保持部（１０３）から取得し、その取得した『広告コンテンツ３』を受信コンテンツ保持部（２０５）に登録することになる。
【００７４】
これにより、情報閲覧端末（２００−１〜ｎ）は、閲覧者が閲覧したい『閲覧コンテンツのページ４』を情報提供サーバ（１００）の送信コンテンツ保持部（１０３）から取得している待ち時間の間には、図５（ｆ）に示すように、閲覧コンテンツに関係付けられた『広告コンテンツ３』を受信コンテンツ保持部（２０５）から読み出し、該読み出した『広告コンテンツ３』を閲覧者に閲覧させることになる。
【００７５】
次に、情報閲覧端末（２００−１〜ｎ）は、図５（ｇ）に示すように、閲覧者が閲覧したい『閲覧コンテンツのページ４』を送信コンテンツ保持部（１０３）から取得し、該取得した『閲覧コンテンツのページ４』を受信コンテンツ保持部（２０５）に登録し、『閲覧コンテンツのページ４』を閲覧者に閲覧した場合に、情報閲覧端末（２００−１〜ｎ）は、その閲覧コンテンツに関係付けられている広告コンテンツを送信コンテンツ保持部（１０３）から取得するように制御する。
【００７６】
なお、送信コンテンツ保持部（１０３）は、図５（ｇ）に示すように、『閲覧コンテンツのページ４』に関係付けて『広告コンテンツ４』を保持しているため、情報閲覧端末（２００−１〜ｎ）は、図５（ｈ）に示すように、『閲覧コンテンツのページ４』に関係付けられている『広告コンテンツ４』を送信コンテンツ保持部（１０３）から取得し、その取得した『広告コンテンツ４』を受信コンテンツ保持部（２０５）に登録することになる。
【００７７】
これにより、情報閲覧端末（２００−１〜ｎ）は、閲覧者が閲覧したい『閲覧コンテンツのページ５』を情報提供サーバ（１００）の送信コンテンツ保持部（１０３）から取得している待ち時間の間には、図５（ｈ）に示すように、閲覧コンテンツに関係付けられた『広告コンテンツ４』を受信コンテンツ保持部（２０５）から読み出し、該読み出した『広告コンテンツ４』を閲覧者に閲覧させることになる。
【００７８】
次に、情報閲覧端末（２００−１〜ｎ）は、図５（ｉ）に示すように、閲覧者が閲覧したい『閲覧コンテンツのページ５』を送信コンテンツ保持部（１０３）から取得し、該取得した『閲覧コンテンツのページ５』を受信コンテンツ保持部（２０５）に登録し、『閲覧コンテンツのページ５』を閲覧者に閲覧することになる。
【００７９】
このように、本実施形態における情報閲覧端末（２００−１〜ｎ）は、閲覧者が閲覧したい閲覧コンテンツに関係付けられた広告コンテンツを情報提供サーバ（１００）の送信コンテンツ保持部（１０３）から取得し、該取得した広告コンテンツを受信コンテンツ保持部（２０５）に登録する。そして、情報閲覧端末（２００−１〜ｎ）は、閲覧者が閲覧したい閲覧コンテンツを情報提供サーバ（１００）から取得している待ち時間の間に、受信コンテンツ保持部（２０５）に登録されている広告コンテンツをコンテンツ表示部（２０１）に表示することで、閲覧者が閲覧コンテンツを閲覧するための待ち時間の間に、その閲覧コンテンツに関係付けられた広告コンテンツを閲覧者に閲覧させることが可能となる。
【００８０】
このため、送信コンテンツ保持部（１０３）は、閲覧コンテンツを所有するサイト管理者毎に、閲覧コンテンツと、サイト管理者が指定した広告コンテンツと、を関係付けて保持することで、情報閲覧端末（２００−１〜ｎ）は、閲覧者が閲覧したい閲覧コンテンツを情報提供サーバ（１００）から取得している待ち時間の間に、閲覧コンテンツを所有するサイト管理者が指定した広告コンテンツを閲覧者に閲覧させることが可能となる。
【００８１】
なお、本実施形態における情報閲覧端末（２００−１〜ｎ）は、図５（ｅ）に示すように、閲覧コンテンツに関係付けられた新たな広告コンテンツ『広告コンテンツ３』を情報提供サーバ（１００）から取得した場合には、その取得した新たな広告コンテンツ『広告コンテンツ３』を受信コンテンツ保持部（２０５）に登録する。そして、情報閲覧端末（２００−１〜ｎ）は、閲覧者が閲覧したい閲覧コンテンツを情報提供サーバ（１００）から取得している待ち時間の間に、受信コンテンツ保持部（２０５）に登録されている新たな広告コンテンツ『広告コンテンツ３』をコンテンツ表示部（２０１）に表示することで、閲覧者が閲覧コンテンツを閲覧するための待ち時間の間に、その閲覧コンテンツに関係付けられた新たな広告コンテンツ『広告コンテンツ３』を閲覧者に閲覧させることが可能となる。
【００８２】
＜広告批評の登録処理＞
次に、図２、図６を参照しながら、広告コンテンツに対する閲覧者の広告批評を送信コンテンツ保持部（１０３）に登録する際の処理動作について説明する。
【００８３】
まず、情報閲覧端末（２００−１〜ｎ）の閲覧者は、コンテンツ表示部（２０１）で閲覧した閲覧コンテンツに関係付けられた広告コンテンツの広告批評を情報閲覧端末（２００−１〜ｎ）に入力する（ステップＣ１）。
【００８４】
これにより、広告批評入力部（２０９）は、情報閲覧端末（２００−１〜ｎ）の閲覧者が入力した広告批評を受付け、その受付けた広告批評を広告批評送信部（２１０）に通知する。
【００８５】
広告批評送信部（２１０）は、広告批評入力部（２０９）から広告批評が通知された場合に、その広告批評を、コンテンツ表示部（２０１）に表示している閲覧コンテンツのＵＲＬと、その閲覧コンテンツと関係付けられている広告コンテンツのＵＲＬと、に関係付けて広告批評受信部（１０２）に送信する（ステップＣ２）。
【００８６】
広告批評受信部（１０２）は、広告批評送信部（２１０）から送信された広告批評を受信した場合に、その広告批評と共に受信した閲覧コンテンツのＵＲＬと、広告コンテンツのＵＲＬと、を基に、広告批評を広告コンテンツに関係付けて送信コンテンツ保持部（１０３）に登録する（ステップＣ３）。
【００８７】
例えば、送信コンテンツ保持部（１０３）は、図７に示すように、サイト管理者（サイト管理者ＩＤ）毎に、『閲覧コンテンツ』と、『広告コンテンツ』と、『広告批評』と、を保持して管理する。そして、図７に示すように、『閲覧コンテンツ』に対して複数の『広告コンテンツ』が関係付けられている場合には、広告批評受信部（１０２）は、まず、閲覧コンテンツのＵＲＬを基に、その閲覧コンテンツを特定する。これにより、どのサイト管理者の閲覧コンテンツかを特定することが可能となる。次に、広告コンテンツＵＲＬを基に、広告コンテンツを特定する。そして、送信コンテンツ保持部（１０３）は、上記特定した広告コンテンツに対して広告批評を登録することになる。
【００８８】
これにより、サイト管理者（サイト管理者ＩＤ）毎に管理している広告コンテンツに対する閲覧者の広告批評を登録することが可能となるため、サイト管理者は、その広告批評を基に、閲覧者の批評の高い広告コンテンツを情報閲覧端末（２００−１〜ｎ）に送信するように制御することが可能となる。このため、情報閲覧端末（２００−１〜ｎ）側で閲覧者が広告コンテンツを閲覧する確率を向上させることが可能となる。
【００８９】
例えば、図７に示すように、複数の広告コンテンツの各々に広告批評が登録されている場合には、サイト管理者は、情報提供サーバ（１００）に対し、各広告コンテンツの広告批評を基に、閲覧者の批評の高い広告コンテンツを自動的に選定し、その選定した広告コンテンツを閲覧コンテンツに関係付けるように制御し、情報提供サーバ（１００）は、その閲覧コンテンツに関係付けられた広告コンテンツを情報閲覧端末（２００−１〜ｎ）に送信するようにする方法が挙げられる。
【００９０】
なお、情報提供サーバ（１００）が自動的に選定する広告コンテンツは、１つに限定するものではなく、複数の広告コンテンツを選定することも可能である。例えば、情報提供サーバ（１００）は、各広告コンテンツの広告批評を基に、閲覧者の批評が規定値を満たしている広告コンテンツを選定する場合には、複数の広告コンテンツを選定するように構築することが可能である。この場合、複数の広告コンテンツの中から閲覧者の批評の高い広告コンテンツを所定の数だけ優先的に選定するように構築することも可能である。
【００９１】
また、サイト管理者が、各広告コンテンツの広告批評を基に、情報閲覧端末（２００−１〜ｎ）に送信する広告コンテンツを予め指定し、その指定した広告コンテンツを、閲覧コンテンツと関係付けるようにし、その閲覧コンテンツに関係付けられた広告コンテンツを情報閲覧端末（２００−１〜ｎ）に送信するように制御する方法も適用可能である。
【００９２】
なお、上述する実施形態は、本発明の好適な実施形態であり、上記実施形態のみに本発明の範囲を限定するものではなく、本発明の要旨を逸脱しない範囲において当業者が上記実施形態の修正や代用を行い、種々の変更を施した形態を構築することが可能である。
【００９３】
例えば、上述した本実施形態における情報提供システムを構成する各装置における制御動作は、ハードウェア、または、ソフトウェア、あるいは、両者の複合構成によって実行することも可能である。
【００９４】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【００９５】
例えば、プログラムは、記録媒体としてのハードディスクやＲＯＭ（Read Only Memory）に予め記録しておくことが可能である。あるいは、プログラムは、フロッピー（登録商標）ディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００９６】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送したりし、コンピュータでは、転送されてきたプログラムを受信し、内蔵するハードディスク等の記録媒体にインストールすることが可能である。
【００９７】
また、上記実施形態で説明した処理動作に従って時系列的に実行されるのみならず、処理を実行する装置の処理能力、あるいは、必要に応じて並列的にあるいは個別に実行するように構築することも可能である。また、上記実施形態で説明した情報提供システムは、複数の装置の論理的集合構成にしたり、各構成の装置が同一筐体内に存在する構成にしたりするように構築することも可能である。
【００９８】
また、上記実施形態で説明した情報提供システムのシステム構成例は特に限定するものではなく、あらゆるシステム構成を構築することが可能である。
【産業上の利用可能性】
【００９９】
本発明にかかる情報閲覧端末、情報提供サーバ、情報提供システム、制御方法及び制御プログラムは、広告コンテンツ配信サービスに適用可能である。
【図面の簡単な説明】
【０１００】
【図１】本実施形態の情報提供システムのシステム構成を示す図である。
【図２】本実施形態の情報提供システムを構成する情報提供サーバ（１００）及び、情報閲覧端末（２００−１〜ｎ）の内部構成を示す図である。
【図３】本実施形態の情報提供システムにおける処理動作を示す第１の図である。
【図４】本実施形態の情報提供システムにおける処理動作を示す第２の図である。
【図５】閲覧者が閲覧したい閲覧コンテンツを情報提供サーバ（１００）から取得している待ち時間の合間に、広告コンテンツを閲覧者に閲覧する場合を説明するための図である。
【図６】本実施形態の情報提供システムにおける処理動作を示す第３の図である。
【図７】送信コンテンツ保持部（１０３）が保持するデータ構成例を示す図である。
【符号の説明】
【０１０１】
１００    情報提供サーバ
１０１  コンテンツ送信部
１０２  広告批評受信部
１０３    送信コンテンツ保持部
２００−１〜ｎ    情報閲覧端末
２０１    コンテンツ表示部
２０２    ユーザ入力受付部
２０３    閲覧コンテンツ提示部
２０４    広告コンテンツ提示部
２０５    受信コンテンツ保持部
２０６    コンテンツ受信部
２０７    閲覧監視部
２０８    広告コンテンツ転送制御部
２０９    広告批評入力部
２１０    広告批評送信部
３００    ネットワーク
【図１】
2009043008.tif 000003
【図２】
2009043008.tif 000004
【図３】
2009043008.tif 000005
【図４】
2009043008.tif 000006
【図５】
2009043008.tif 000007
【図６】
2009043008.tif 000008
【図７】
2009043008.tif 000009